(57)【要約】  【課題】  使用時の利便性を損なうことなく見つかりにくくし、容易にこじ開けたり破壊したりすることができず、かつ貴重品保管庫ごと持って行くことも困難である防犯機能が強化された家庭用の貴重品保管庫を提供することにある。  【解決手段】  保管部１と蓋部２とが蝶番４にて連結された貴重品保管庫であり、これが中棚２１を有する衣装棚２０の当該中棚２１上に固定設置される。貴重品保管庫と中棚２１とは、衣装棚２０の背面内側から貴重品保管部背面との距離ｄが６０ｍｍ以内の位置にてボルト５により固定される。ボルト５は、前記中棚２１の下底面から中棚２１と貴重品保管庫の底面を貫通してねじ込まれる。底面から突き出たボルト足は、ダブルナット６で締められる。蓋部２の前面及び両側面には、保管部１と蓋部２との接触部位を覆う忍び返し７を設ける。以上のような構造の貴重品保管庫とする。  【選択図】  図３
2005220518.tif 000002
【特許請求の範囲】
【請求項１】
錠前をその前面に有する保管部と、前記保管部の上部に位置する蓋部とが、前記保管部と前記蓋部の背面に取り付けられた蝶番にて連結されものである家庭用の貴重品保管庫であって、
前記貴重品保管庫は、
木製の中棚を有する衣装棚において、
前記中棚の上部であって、
かつ前記衣装棚の背面内側から前記貴重品保管部背面との距離ｄが６０ｍｍ以内の位置に固定設置するものであり、
前記中棚に固定されるボルトを有しており、
前記ボルトは、
前記中棚の下底面から前記貴重品保管庫の内部に向けて、前記中棚と前記貴重品保管庫の底面を貫通してねじ込まれているものであり、
かつ前記貴重品保管庫底面から貫通して突き出ているボルト足を締めるダブルナットを有するものであり、
前記蓋部の前面及び両側面には、保管部と蓋部との接触部位を覆う忍び返しを有しているものである家庭用の貴重品保管庫。
【請求項２】
前記錠前は、ピッキング防止タイプのシリンダーである請求項１記載の家庭用の貴重品保管庫。
【請求項３】
前記ボルトは、ボルト頭の形状が皿頭のプラスボルトである請求項１または２記載の家庭用の貴重品保管庫。
【発明の詳細な説明】
【技術分野】
【０００１】
本発明は、通帳、証券等重要書類や現金等を家庭で保管するための家庭用貴重品保管庫に関するものである。
【背景技術】
【０００２】
近年、一般住居を狙う専門的な窃盗団の出現などで、家庭における盗難に対する防犯の必要性が大きくなってきた。家庭内において通帳、証券、現金などの貴重品の盗難防止策として、比較的小型の金庫や貴重品保管庫（以下まとめて「貴重品保管庫」といい、銀行などで業務として用いられる大型の「金庫」と区別する。）に保管する手段がある。
【０００３】
しかしながら、家庭用の貴重品保管庫には、銀行等専門機関に設置される金庫に比較した場合、その設置等に関して様々な制約や問題がある。例えば、まず資金面の問題から専門機関のような十分な防犯体制をとることができないので、一般家庭では窃盗者が貴重品保管庫に近づくことが容易であり、また一旦近づいたら、窃盗のために貴重品保管庫に対して作業する時間を比較的長く取ることができる。次に、設置場所の問題で、大型化、重量化が不可能であるので、金庫に比較して、貴重品保管庫を破壊することや貴重品保管庫ごと持ち出すことが容易である。更に、家庭用の貴重品保管庫に、現金等を保管すれば、貴重品保管庫を利用する回数が多くなり、使用に際する利便性を損なうことができないという問題となる。
【０００４】
これら家庭における制限や問題に鑑みれば、防犯のための家庭用の貴重品保管庫としての好ましい特徴としては、窃盗者にとって錠前を開錠することが困難なものであることを当然の前提として、それ以外に、Ａ．利便性を損なうことなく見つかりにくい。Ｂ．見つかった場合でもこじ開けたり破壊したりすることができない。更に、Ｃ．貴重品保管庫ごと持って行くことができない、という特徴を挙げることができ、これらの特徴を全て兼ね備えてこそ、実用的でかつ防犯機能が強化された貴重品保管庫とすることができる。
【０００５】
家庭用の金庫については、いくつかの技術が既に開示されている。例えば特許文献１では、形状を平べったくして、窃盗者に見つかりにくくした押入れ金庫の技術が開示されている。しかし、かかる押入れ金庫では、保管容量が限られ、利便性に欠け、また持ち出すことも容易である。更に押入れ金庫をこじ開けたり破壊したりすることも可能である。
【特許文献１】特開２０００−３５２２６９号公報
【０００６】
特許文献２には、畳の一部をくり抜き上からゴザをかぶせて金庫を隠す畳金庫が開示されている。しかし、利用する際にいちいちゴザをはがして畳金庫を取り出すことは利便性に欠ける。また、窃盗者に見つかってしまった場合の窃盗行為に対しては無力である。
【特許文献２】特開平１１−３２４４９０号公報
【０００７】
特許文献３には、ホテルの部屋などに設置するための貴重品収納庫として、内部に収容室を形成する本体ケースの上壁に物品挿入用の開口を設け、該開口の端部に蓋の一端を枢着し、上記上壁に蓋の他端を施解錠する錠部と上記上壁表面に上記錠部を施解錠する操作部を設け、上記本体ケースの底壁に複数のねじ挿入用孔を設け、上記本体ケースからねじ挿入用孔に挿入されるねじを洋服ダンス或いは整理棚の収納ケースに本体ケースを螺合して固着したことを特徴とする貴重品収納庫が開示されている。この貴重品収納庫は、タンスの引き出しに入れることで人目につきにくくし、また収納ケースをねじで螺合し、当該ねじの頭は密閉された収容室内に存在するので、ねじを取り外すことができないとされる。なお、本開示技術において「洋服ダンス或いは整理棚の収納ケース」とは、具体的には洋服ダンス或いは整理棚の引き出しを意味している。しかし、貴重品収納庫の技術をそのまま家庭用の貴重品保管庫に応用することは困難である。なぜなら、一般家庭において、引き出しは財布等が保管されていることの多い場所であるので、一見人目につきにくいように思えるが、窃盗の際には、まず最初に物色される場所であり、窃盗者にとっては、むしろ目立つ場所といえる。また、ねじ頭が密閉された収納室内に存在することで、持ち出しにくくなる技術が有効であるのは、固着を行う引き出しの材質が金属であって、かつ当該ねじ足の長さが、引き出し下底と面一になる長さとなる場合に限られる。なぜなら、例えば引き出しの材質が木製の場合には、ねじのみで固着したものを強引に引き抜くことが可能であるし、また面一でなければ、引き出しの下底側からねじ足を操作して、ねじを取りはずすことも可能だからである。この点、家庭においては、設置できる引き出しが木製の場合が多く、また底部の厚みもまちまちなので、上記技術を応用することは困難である。更に引き出しごと持ち去ることも可能である。また貴重品収納庫を強引にこじ開けた場合に対する防御策も開示されていない。
【特許文献３】実開平５−１２５８４号公報
【発明の開示】
【発明が解決しようとする課題】
【０００８】
上記現状を鑑みれば、本発明において解決すべき課題は、Ａ．利便性を損なうことなく見つかりにくい。Ｂ．見つかった場合でも容易にこじ開けたり破壊したりすることができない。更に、Ｃ．貴重品保管庫ごと持って行くことが困難である。というＡ〜Ｃの特徴を全て備え持つことで、防犯機能が強化された家庭用の貴重品保管庫を提供することにある。
【課題を解決するための手段】
【０００９】
本発明者らは鋭意検討した結果、以下の手段を用いて、上記課題を解決した。
【００１０】
すなわち本発明は、
錠前をその前面に有する保管部と、前記保管部の上部に位置する蓋部とが、前記保管部と前記蓋部の背面に取り付けられた蝶番にて連結されものである家庭用の貴重品保管庫であって、
前記貴重品保管庫は、
木製の中棚を有する衣装棚において、
前記中棚の上部であって、
かつ前記衣装棚の背面内側から前記貴重品保管部背面との距離ｄが６０ｍｍ以内の位置に固定設置するものであり、
前記中棚に固定されるボルトを有しており、
前記ボルトは、
前記中棚の下底面から前記貴重品保管庫の内部に向けて、前記中棚と前記貴重品保管庫の底面を貫通してねじ込まれているものであり、
かつ前記貴重品保管庫底面から貫通して突き出ているボルト足を締めるダブルナットを有するものであり、
前記蓋部の前面及び両側面には、保管部と蓋部との接触部位を覆う忍び返しを有しているものである家庭用の貴重品保管庫の発明である。
【００１１】
また本発明に用いられる錠前は、ピッキング防止タイプのシリンダーであることが好ましい。
【００１２】
また、本発明に用いられるボルトは、ボルト頭の形状が皿頭のプラスボルトであることが好ましい。
【発明の効果】
【００１３】
本発明の家庭用の貴重品保管庫は、上記構成なので、各構成要素がＡ〜Ｃのいずれかの効果を奏することで、貴重品保管庫全体として、家庭用としての防犯機能を強化することができる。以下、それぞれの構成要素が奏する効果を示す。
【００１４】
本発明の貴重品保管庫は、衣装棚に固定設置するものなので、その意外性により窃盗者に発見されにくいだけでなく、ハンガーなどで吊るされた衣類により、貴重品保管庫が隠れるため発見されにくい。一方、前記のとおり本貴重品保管庫を隠しているものが衣類なので、これら衣類を払いのけるだけで、本貴重品保管庫を使用できるので、本貴重品保管庫を隠したために利便性が損なわれることはない。
【００１５】
また、本発明の貴重品保管庫は、衣装棚内の仕切りとして通常付属していることの多い木製の中棚を利用し、これに固定されているので、中棚から外されない限り、貴重品保管庫を持ち出すことができない。
【００１６】
また、本発明の貴重品保管庫は、前記中棚に固定されるボルトを有しており、前記ボルトが前記中棚の下底面から前記貴重品保管庫の内部に向けて、前記中棚と前記貴重品保管庫の底面を貫通してねじ込まれているものであって、かつ前記貴重品保管庫底面から貫通して突き出ているボルト足を締めるダブルナットを有するものであるので、木製の中棚にあって、その中棚下底側から当該ボルトを外して貴重品保管庫を持ち出すことはできない。
【００１７】
また、本発明の貴重品保管庫は、前記衣装棚の背面内側から前記貴重品保管部背面との距離ｄが６０ｍｍ以内の位置に固定設置するものであり、更に蓋部の前面及び両側面には、保管部と蓋部との接触部位を覆う忍び返しを有しているので、本発明の貴重品保管庫をバールでこじ開けたり、また他の工具で破壊したりすることは非常に困難である。
【００１８】
更に、錠前にピッキング防止タイプのシリンダーを用いると、ピッキングによる錠前解除がより困難となる一方、家庭用としての貴重品保管庫の小型化が容易であり、また暗証番号やダイヤル操作も不要であり、これらを忘れて金庫が開かなくなることもない。
【００１９】
更に、ボルトにボルト頭の形状が皿頭のプラスボルトを用いて、ボルト頭と枠体面と面一にすると、工具を使って当該ボルトをねじ切って外すことが非常に困難となる。
【発明を実施するための最良の形態】
【００２０】
以下、本発明の家庭用貴重品保管庫について、図面を用いて更に詳しく説明する。
図１は本発明の家庭用貴重品保管庫の斜視図であって、蓋部が閉じた状態を示している。一方、図２は、蓋部が開いた状態を示した斜視図である。図３は蓋部の閉じた状態において、貴重品保管庫の内部を側面方向から表した図である。一方、図４は蓋部が開いた状態において、貴重品保管庫の内部を側面方向から表した図である。
【００２１】
本発明の貴重品保管庫は、錠前３をその前面に有する保管部１と、前記保管部の上部に位置する蓋部２とが、前記保管部と前記蓋部の背面に取り付けられた蝶番４にて連結されていることを基本構造としている。すなわち本発明の保管庫は、貴重品等を保管する保管部１と、当該保管部１と蝶番４を介して連結して、保管部１に蓋をする蓋部からなり、通常は、錠前３により、保管部１と蓋部２がロックされている。錠前３を解除すると、蝶番４の回転軸を中心として、蓋部２を上方に持ち上げることができる。
【００２２】
保管部１および蓋部２を構成する枠体の材料は、機械強度の観点から板状の金属とする。中でもステンレス板であることが好ましい。また保管部１と蓋部２の枠体は、一枚金属板をコの字に曲げ加工した上で、両側面を溶接して作製することが好ましい。溶接によれば、製品としての歪が生じやすくなるだけでなく、当該溶接部位が強度の弱い部位となるので、最小限の必要な部位にとどめたほうが良いからである。
【００２３】
蝶番４としては、ステンレス製のロング蝶番を用いることが好ましい。保管部１と蓋部２との間の隙間をなくすためである。蝶番４と保管部１、蝶番４と蓋部２の連結方法は、ステンレス製のリベット８でかしめることにより行う。リベット８でかしめて連結することで、本発明の構造で最も弱い部分となりやすい蝶番４の部分を補強でき、蝶番４部分をこじ開けることが困難になる。
【００２４】
本発明の貴重品保管庫は、木製の中棚２１を有する衣装棚２０に固定設置するものである。衣装棚とは、衣装を収納するための空間であって、クローゼットとも呼ばれるものである。本発明の貴重品保管庫を衣装棚２０に設置することにより、衣類等により貴重品保管庫が隠れるので、窃盗者に発見されにくくなる。特に衣装棚２０の奥部に設置すれば、この隠れる効果は更に大きいものとなる。
【００２５】
本発明では、上述のように、貴重品保管庫を固定する衣装棚２０には、木製の中棚２１を有していることが必要とされる。中棚２１上部に貴重品保管庫を固定することで、家庭用としての利便性を失わずに使用できるからである。ここで中棚とは、衣装棚において、その内部空間を上部空間と下部空間に分ける仕切りのことをいう。通常、中棚があることで、衣装棚により多くの衣装の収納が可能になるため、多くの衣装棚に中棚が設けられている。中棚２１が木製であることを考慮すれば、貴重品保管庫の固定の方法として、ねじ留めや釘うちは、バールなどで力任せに貴重品保管庫を引き抜くことも可能であり、防犯効果が小さく不適である。そこで上述のように、ボルトとナットを用いて固定することとした。
【００２６】
前記５ボルトは、前記中棚２１の下底面から前記貴重品保管庫の内部に向けて、中棚２１と前記貴重品保管庫の底面を貫通してねじ込まれているものである。また貴重品保管庫底面から貫通して突き出た前記ボルト５のボルト足は、ダブルナット６で締められる。ダブルナット６で締められると、中棚２１下底面方向からボルト頭を回転させて、ボルト５を外すことができなくなる。つまり、貴重品保管庫と中棚２１とを固定しているボルトを外すには、貴重品保管庫内部方向より、ダブルナット６をボルト足から外すしかなくなってしまう。
【００２７】
ボルト５には、ボルト頭の形状が皿頭のプラスボルトを用いることが好ましい。ボルト頭の形状が皿頭のプラスボルトであれば、ボルトをねじ込んで、ボルト頭と枠体面と面一にしてしまうと、貴重品保管庫の外側に出ているボルト頭を、工具を使い、ねじ切って外すことが非常に困難になり、更に防犯機能が強化されるからである。
【００２８】
また蓋部２の前面及び両側面には、保管部１と蓋部２の接触部位を覆う忍び返し７を有している。当該部分に忍び返し７が存在すると、貴重品前面及び両側面からバール等で本発明の貴重品保管庫をこじ開けることができなくなる。忍び返し７としては、ステンレス製のフラットバーで、前面及び両側面の保管部１と蓋部２の接触部位全体に渡って覆い隠すものが好ましい。また蓋部２に忍び返し７を取り付ける方法としては、ボルト−ナットで取り付ける方法や、溶接による方法がある。ただし溶接によれば、製品にした場合、多少の歪みが生じるので、ボルト−ナットによる取り付けが好ましい。この場合、上記と同じく、忍び返し７の取外しを困難にするという理由から、ボルトは貴重品保管庫外側方向から内側へ向かってねじ込ませ、貴重品保管庫内側へ突き出たボルト足をダブルナットで締めることが好ましい。
【００２９】
更に本発明に用いる忍び返し７は、本発明の貴重品保管庫の強度を補強する役割も有する。上述のように、蓋部２は、一枚金属をコの字に加工した後に、両側面を溶接することにより作製できるが、この場合、両側面に溶接部分が生じることになる。そこで、前面及び両側面に渡るフラットバーの忍び返し７を設けることで、弱い溶接部分を補強することができ、これにより貴重品保管庫の破壊を困難にすることができる。
【００３０】
本発明の貴重品保管庫は、前記衣装棚２０の背面内側から前記貴重品保管部背面との距離ｄが６０ｍｍ以内の位置に固定設置するものである。図３及び図４には、測定すべき距離ｄの位置を図示した。当該距離ｄを６０ｍｍ以内としたのは、貴重品保管庫背面からのこじ開けを防止するためである。忍び返し７を設けることにより、前面及び両側面からは貴重品保管庫をバールでこじ開けることが困難になる。しかし、背面に忍び返しを設けると、蓋部２を上方に開けることができなくなるので、背面には設けることができない。そこで別の措置を講じる必要がある。ここで、通常バールは、短くても７０〜８０ｍｍの長さを有する。これ以下の長さのバールでは、著しく作業性に欠けるからである。このため、衣装棚２０の内側背側面から前記貴重品保管部背面との距離ｄを６０ｍｍ以内にすれば、市販のバールでは貴重品保管庫の背面に差し込むことができないので、背面からこじ開けることができなくなる。また仮に６０ｍｍ未満の特殊なバールを用いたとしても、こじ開け作業は著しく困難となる。
【００３１】
錠前３には、ダイヤル開閉式やピッキング防止タイプのシリンダーなど窃盗者が容易に開錠できないものを用いる。なかでも本発明の貴重品保管庫は家庭用なので、業務用の金庫と異なり、小型化する必要がある。そこで小型化が容易なピッキング防止タイプのシリンダーを用いることが好ましい。ピッキング防止タイプのシリンダーには、市販のものを用いることができる。また、錠前３はこじ開け防止のために、鎌錠とすることが好ましい。錠前３は保管部１の枠体前面の内側に錠前ケース９を設け、この中に設置することができる。蓋部２を閉じたときに、保管部１の錠前ケース９上面と接触する蓋部２側の下面には、錠前３のデットボルト１１を受けてロックするための受けケース１０を設けることができる。
【００３２】
また保管部１と蓋部２の接触面には、板ゴムのライナー１２を設けることもできる。板ゴムライナー１２は、蓋部２開閉の際に、保管部１と蓋部２の金属どうしが直接ぶつかることを避け、枠体の破損を防ぐことができる。
【００３３】
保管部１の内部には貴重品等を保管するための保管トレイ１３を設けることができる。本発明の貴重品保管庫の底部には、衣装棚２０の中棚２１に固定するためのダブルナット６が取り付けられたボルト足が突き出ている。よってこのままでは、保管部１内部に貴重品などを設置するのに不便である。このため、前記ボルト足の上部に位置し、当該ボルト足を覆い隠す保管トレイ１３を設置することが好ましい。保管トレイ１３には、合成樹脂板や、金属板等を用いることができるが、金属板を用いるときには、軽量で安価であるアルミニウム板を用いることが好ましい。また当該保管トレイ１３は、貴重品保管の際に、指が触れる部位でもあるため、剥き出しの樹脂板や金属板で指を切ることのないように、フェルトなど柔らかい物質で、保管トレイ１３を被覆することが好ましい。
【００３４】
本発明の貴重品保管庫のサイズは、取り付ける衣装棚２０のスペースにより適宜変更できるが、好ましいサイズの一例として、全体の高さ１００〜１３５ｍｍ、幅４５０〜７５０ｍｍ、奥行き１００〜１５０ｍｍ、蓋部２高さ３０〜５５ｍｍとすることができる。なお、蓋部の高さは６０ｍｍ未満にすることが好ましい。蓋部２の高さが６０ｍｍ以上であると、衣装棚２０背面からの距離制限のため、蓋部２を開放した際に、９０度以上の角度をもって開放することができず、貴重品保管作業中に蓋部２が自然に閉じてしまうことで、指が挟まれるおそれがあるからである。
【産業上の利用可能性】
【００３５】
本発明の貴重品保管庫は、家庭用とした場合に特に高い防犯機能を有するので、家庭における通帳、証券、現金等貴重品を保管する保管庫としての産業上の利用可能性を有する。
【図面の簡単な説明】
【００３６】
【図１】蓋部が閉じている状態を示した本発明の家庭用貴重品保管庫の斜視図。
【図２】蓋部が開いている状態を示した本発明の家庭用貴重品保管庫の斜視図。
【図３】蓋部が閉じている状態における本発明の家庭用貴重品保管庫の内部を側面方向から表した図。
【図４】蓋部が開いている状態における本発明の家庭用貴重品保管庫の内部を側面方向から表した図。
【符号の説明】
【００３７】
１          保管部
２          蓋部
３          錠前
４          蝶番
５          ボルト
６          ダブルナット
７          忍び返し
８          リペット
９          錠前ケース
１０        受けケース
１１        デッドボルト
１２        （板ゴム）ライナー
１３        保管トレイ
２０        衣装棚
２１        中棚
【図１】
2005220518.tif 000003
【図２】
2005220518.tif 000004
【図３】
2005220518.tif 000005
【図４】
2005220518.tif 000006